(57)【特許請求の範囲】
【請求項１】
溶接可能な建物土台または基礎の上に、下部の縁部に面取りが施された壁パネルを取り付ける構造において、壁パネルと建物土台または基礎の間に底板が挿入され、該底板における壁パネルが面取りされていることによってパネルが載置されない部分に切り欠き部が形成され、該切り欠き部の内周縁が建物土台または基礎に溶接されており、かつ該底板上に起立突設された軸体が前記壁パネルの下面にその面と直角方向に穿設された穴に挿入されて、壁パネルが建物土台または基礎の上に取り付けられたことを特徴とする壁パネルの取付構造。
【請求項２】
請求項１の取付構造に使用する取付金具において、溶着し得る切り欠き部を有する底板上に鋼棒状の軸体が起立突設されて構成された壁パネルの取付金具。
【請求項３】
前記底板が平板或いは、切り欠き側の片側縁のみに脚部を設けた平板、または両側縁に脚部を設けた平板より構成された請求項２の壁パネルの取付金具。
【請求項４】
軸体の外径よりも大きな外径を有する底部を下端に設けた軸体と、該軸体を挿通し得る穴を設けた底板とが組み合わされて構成された請求項２乃至請求項３のいずれかの壁パネル取付金具。
【請求項５】
軸体の先端に突起が突設され、かつ軸体及び底板の穴に回転止めが施されて構成された請求項２乃至請求項４のいずれかの壁パネル取付金具。
【請求項６】
下部の縁部に面取りが施された壁パネルの下部小口にその面と直角方向に穴を穿設し、切り欠き部を有する底板上に起立突設された軸体を該穴の中に挿入することによって該切り欠き部が面取り部に位置するように該底板を前記壁パネルの下面に取り付け、壁パネルを溶接可能な建物土台または基礎の上に建て込んだ後で、前記壁パネルの面取り部を利用して底板の切り欠き部の周辺縁を溶接して壁パネルを建物土台または基礎の上に取り付け固定したことを特徴とする施工方法。
【発明の詳細な説明】
【０００１】
【発明の属する技術分野】
本発明は、建物の土台または基礎（以下単に土台と略称する）に、軽量気泡コンクリートパネルのようなプレキャストコンクリートパネル（ＰＣパネル）等の外壁パネル、または仕切り壁パネル（以下単に壁パネルと略称する）を取り付ける壁パネルの取付構造と、この取付構造に使用される取付金具と、及び取付金具を利用して壁パネルを取り付ける施工方法とに関するものである。
【０００２】
【従来の技術】
従来のこの種の土台の上に壁パネルを取り付ける取付構造としては、大別すると図５に示すモルタルを使用する湿式構造と、図６に示すようなモルタルを使用しない乾式構造とがある。
【０００３】
前述の湿式構造は、図５に示す如く、コンクリート工事の段階でアンカー鉄筋５１を土台５２内に埋込んでおき、土台５２が硬化した後で流し鉄筋５３を土台５２上に置き、この流し鉄筋５３を折曲げられたアンカー鉄筋５１に溶接して固定する。次に壁パネル５４の建込み時に、壁パネル５４の長辺方向相互間の溝部５５にフック付目地鉄筋５６を挿入し、そのフック部を流し鉄筋５３に溶着固定する。
【０００４】
また該フック付目地鉄筋５６の周りの溝部５５にモルタルを充填することによって、該目地鉄筋５６と壁パネル５４とを固着し、これによって壁パネル５４に掛かる外力を目地鉄筋５６、流し鉄筋５３及びアンカー鉄筋５１を介して土台５２に伝達するように構成した構造である。
【０００５】
また、前述の乾式構造は、図６に示す如く、コンクリート工事の段階でアンカー鉄筋５１を土台５２内に埋込んでおき、土台５２が硬化した後でその上に山型鋼５７を置き、前記アンカー鉄筋５１の上部折曲部をこの山型鋼５７に溶着して固定する。壁パネル５４の一部にドリルで座堀穴５８を穿設し、この座堀穴５８内にはフックボルト５９と座金６０とをセットする。
【０００６】
前記山型鋼５７の垂直フランジにフックボルト５９のフック部を引っ掛けると共にこれを溶着し、かつフックボルト５９を締付けることによって、壁パネル５４をフックボルト５９、山型鋼５７及びアンカー鉄筋５１を介して土台５２に取り付けた構造である。また、座堀穴５８は、最後に専用材料を用いて補修していた。
【０００７】
【発明が解決しようとする課題】
然るに、前述の図５に示す湿式構造は、（１）施工現場でモルタルを使用するので、品質管理が困難である。（２）モルタルの調合と、そのモルタルを壁パネル５４の相互間に形成される溝部５５に充填する作業が施工能率を低下させる等の問題があった。
【０００８】
（３）更に、この湿式構造は、壁パネル５４で形成される壁面の端部は目地鉄筋５６とモルタルとを挿入出来ないために、別の取付金物を使用しなければならず、この取付金物が露出するために内装仕上に悪影響を及ぼす。（４）目地鉄筋５６を流し鉄筋５３に溶着することによって壁パネル５４を支持しているので、設計荷重を上回る荷重が壁パネル５４に掛かって、該溶接部が破断した場合には、壁パネル５４が脱落するおそれがあった。
【０００９】
また、前述の図６に示す乾式構造は、（１）山型鋼５７とフックボルト５９とが壁パネル５４の外方に露出するために、内装仕上げに悪影響を及ぼす。（２）座堀穴５８を後加工で専用材料を用いて補修する必要があり、施工能率が低下する等の問題があった。
【００１０】
また、この乾式構造は、（３）座堀穴５８を補修した補修材と壁パネル５４の母材とが経年変化で肌分かれした場合、美観を著しく損ねる恐れがある。
【００１１】
更に、近年になって、本件特許出願人が開発した実公昭６３ー４６５７２号公報、特開昭６３ー２６５０４６号公報、実公平１ー１５７７４号公報及び実公平７ー１４５０１号公報に示す壁パネルの取付構造の技術が公知である。この技術は、壁パネルの小口面に穿設した小口面に対する直角方向の穴の中に棒状鋼材を挿入し、かつこの棒状鋼材の円板状の元端を建物の開口部の開口枠縁に溶着し、これによって壁パネルを開口部の開口枠縁に取付固定するようにした技術である。
【００１２】
然るに、前述の本件特許出願人が開発した壁パネルの取付構造は、壁パネルの小口面に穿設された穴の中に棒状鋼材を挿入すると共に、この棒状鋼材の元端を開口枠縁に溶着するので、構造が極めて簡単であり、かつ壁パネルの取付金具が壁面の外方に露出しないので、作業能率が良い上に、仕上が良好である等の点で優れていた。しかし、これらの取り付け構造のうち、実公昭６３ー４６５７２号公報及び特開昭６３ー２６５０４６号公報に示す技術は開口部に隣接するパネルの小口面を開口枠に取り付け固定することを目的とする技術であるため、パネルの取り付け時にパネル小口が露出しない場合には、前記鋼材の元端を溶接することが困難であるという問題を有していた。
【００１３】
また、実公平１ー１５７７４号公報及び実公平７ー１４５０１号公報に示される技術においては、棒状鋼材の円板状の元端をパネル受け部またはアンカー金具等に溶接する部分がパネルの下端と建物土台または基礎との間であり、その隙間が小さいと確実な溶接を行うことが困難であったり、上向きの溶接作業となり溶接が確実に行われたかどうかの確認が困難である問題点を有していた。
【００１４】
本発明に係る壁パネルの取付構造及びその取付金具は、前述の従来の問題点に鑑み開発された全く新しい技術であって、特に土台の上に壁パネルを簡単な構造で強固に、かつ極めて体裁良く取り付けることを可能とした壁パネルの取付構造及びその取付金具の技術を提供するものである。
【００１５】
【課題を解決するための手段】
本発明に係る壁パネルの取付構造は、前述の従来の問題点を根本的に改善した全く新しい技術であって、その発明の要旨は、溶接可能な建物土台または基礎の上に、下部の縁部に面取りが施された壁パネルを取り付ける構造において、壁パネルと建物土台または基礎の間に底板が挿入され、該底板における壁パネルが面取りされていることによってパネルが載置されない部分に切り欠き部が形成され、該切り欠き部の内周縁が建物土台または基礎に溶接されており、かつ該底板上に起立突設された軸体が前記壁パネルの下面にその面と直角方向に穿設された穴んい挿入されて、壁パネルが建物土台または基礎の上に取り付けられたことを特徴とする壁パネルの取付構造である。
【００１６】
本発明に係る壁パネルの取付構造に用いられる取付金具は、前述の本発明の構成を可能とした特定の構造を有する金具であって、その取付金具の第１発明の要旨は、前記溶接基材に溶着し得る切欠部を有する底板上に鋼棒状の軸体が起立突設されて構成された壁パネルの取付金具である。
【００１７】
本発明に係る壁パネルの取付金具の第２発明は、前記底板が平板或いは、切り欠き側の片側縁のみに脚部を設けた平板、または両側縁に脚部を設けた平板より構成された第１発明の壁パネルの取付金具である。
【００１８】
本発明に係る壁パネルの取付金具の第３発明は、軸体の外径よりも大きな外径を有する底部を下端に設けた軸体と、該軸体を挿通し得る穴を設けた底板とが組み合わされて構成された第１発明乃至第２発明のいずれかの壁パネル取付金具である。
【００１９】
本発明に係る取付金具の第４発明は、軸体の先端に突起が突設され、かつ軸体及び底板の穴に回転止めが施されて構成された第１発明乃至第３発明のいずれかの壁パネル取付金具である。
【００２０】
本発明に係る施工方法の要旨は、下部の縁部に面取りが施された壁パネルの下部小口にその面と直角方向に穴を穿設し、切り欠き部を有する底板上に起立突設された軸体を該穴の中に挿入することによって該切り欠き部が面取り部に位置するように該底板を前記壁パネルの下面に取り付け、壁パネルを溶接可能な建物土台または基礎の上に建て込んだ後で、前記壁パネルの面取り部を利用して底板の切り欠き部の周辺縁を溶接して壁パネルを建物土台または基礎の上に取り付け固定したことを特徴とする施工方法である。
【００２１】
【発明の実施の形態】
図により本発明に係る壁パネルの取付構造及びその取付金具の一実施例について具体的に説明すると、図１は本発明に係る壁パネルの取付構造の要部を示す斜視説明図、図２は取付金具の構成を示す斜視説明図、図３は図１の壁パネルの取付構造の一部断面説明図、図４（Ａ），（Ｂ），（Ｃ）は夫々取付金具の実施例の一部を示す斜視説明図である。
【００２２】
図１乃至図３に於いて、１はアンカー鉄筋であって、コンクリート工事の段階で土台２内に埋込まれている。３は平鋼板より構成された溶接基材であって、土台２上に積層したならしモルタル４が完全に硬化した後で、このならしモルタル４上に載置されている。この溶接基材３は前記アンカー筋１の上端折曲部１ａで係止されると共に、両者は相互に溶着されている。
【００２３】
５は底板であって、前記溶接基材３の左右巾（短軸巾）よりも大きな左右巾を有しており、その片側部を溶接基材３上に載置し得るように構成されている。底板５の両側下面には夫々溶接基材３の肉厚とほぼ等しい高さを持った脚部６が一体的に取り付けられている。また、底板５の溶接基材３上に載置されていない片側部には穴７が穿設されている。更に底板５の溶接基材３上に載置された片側部中央には略逆コ字状の切欠部８が設けられている。
【００２４】
９は軸体であって、前記底板５の穴７に挿通し得る外径を有している。また、この軸体９の下端には、該穴７の内径よりも大きな外径と、前記溶接基材３の肉厚とほぼ等しい高さを有する底部１０が一体的に取り付けられている。更に軸体９の上端部外周面には、４個の突起１１が突設されている。
【００２５】
１２は壁パネルであって、その底部小口面には小口面と直角方向に穴１３が穿設されている。この穴１３の内径は、前記軸体９の外径とほぼ等しい寸法を有しており、この穴１３内に軸体９を挿入した際には、軸体９の上端部に設けた突起１１が穴１３の周りの壁面にくい込むように構成されている。また、壁パネル１２の下部縁部には面取り部１２ａが設けられている。
【００２６】
本発明に係る壁パネルの取付構造を施工するに当たっては、底板５の穴７内に軸体９を挿通して底板５に軸体９を取り付ける。次に壁パネル１２の底部の小口面に穿設された穴１３内に軸体９を挿入し、軸体９に突設された突起１１を穴１３の周りの壁面にくい込ませ、この軸体９に連結された底板５の切欠部とを壁パネル１２の面取り部１２ａとが合致するように底板５を壁パネル１２の底部の小口面に当接固定する。
【００２７】
このようにして底部の小口面に底板５が取り付けられた壁パネル１２を土台２上に建込み、かつ底板５を溶接基材３上に載置し、この状態で壁パネル１２の面取り部１２ａを利用しながら底板５の切欠部８の内周縁を溶接基材３に溶接して溶接部１４を形成し、底板５を溶接基材３に強固に固着し、これによって壁パネル１２を土台２上に固定することが出来る。
【００２８】
上記実施例に於いては、図２及び図４（Ａ）に示す如く、底板５の両側縁に脚部６を取り付けて構成したが、図４（Ｂ）に示す如く、底板５の片側縁のみに脚部６を設けることも可能である。この場合には、底板５に取り付けられた軸体９の頭部が、溶接基材３の肉厚とほぼ等しいので、溶接基材３に載置されない底板５の側部をこの頭部１０で支持することが出来る。
【００２９】
このように溶接部１４を施す側に脚部６を設けた底板５は、地震等により溶接が破断した際に、壁パネル１２の厚み方向のずれをこの脚部６で防止出来る。ただし、図２に示すようなこの脚部６に係合し得る溶接基材３を土台２上に設けるか、或いは土台２等に引っ掛かり部となるものが存在しなければならない。
【００３０】
図４（Ａ）に示す如く、両側部に脚部６を設けた底板５の方が、同図（Ｂ）に示す如く、片側部に脚部６を設けた底板５よりも安定性が良い。更に、このような脚部６が全く設けられていない。図４（Ｃ）に示すような底板５も使用することが出来る。この底板５は構造が簡単で安価に大量生産が出来る特徴を有している。
【００３１】
底板５に設ける切欠部８は、前例のように中央部に設けることも、或いは両側に二つの切欠部８を設けることも可能である。前記溶接基材３は、土台２がコンクリート製であって溶接部分を有していないときに必要である。更に、そのような溶接部分を有している場合であっても、軸体９の底部１０が底板５の下面に配置されるときには、その底板５の水平を保つために溶接基材３が必要である。この溶接基材３は、前述のような平鋼板であっても、或いは鋼棒であっても良いが、平鋼板の方が土台２上に取り付ける場合に安定性が良い。
【００３２】
前記軸体９は予め底板５の上面に溶着して一体的に起立突設して構成することも可能であるが、前述のように軸体９と底板５とを別々に作成し、これ等を現場で組立てるようにした方が製造上便利である。このように軸体９を底板５の穴７に挿通して組立てた場合には、底板５が軸体９に対して自由に回転するので、壁パネル１２を土台２上に建込む際に、その重心の安定する位置、すなわち溶接する切欠部８が下側になることがある。
【００３３】
そのために、作業者が設置した壁パネル１２の底面に手を突っ込んで、底板５の切欠部８の側を上方に引き戻して正常位置としてから溶接しなければならないので、極めて作業が面倒であった。従って、これを解決するためには、例えば軸体９の外周面と穴７の内周面とを角形に形成する等の手段で、底板５の回転を防止する必要がある。
【００３４】
本発明に係る壁パネルの取付構造に於いては、コンクリートで構成された土台２の上面に溶接基材３を取り付けたので、壁パネル１２側に取り付けられた底板５をこの溶接基材３に溶接１４することによって、壁パネル１２を土台２上に安定した状態で強固に固定することが出来る。
【００３５】
本発明では、軸体９と底板５との組合せよりなる取付金物を介して壁パネル１２を土台２に建込み組立構成している。即ち、軸体９を壁パネル１２の小口面に設けられた穴１３に挿入して底板５を壁パネル１２の小口面に固定し、かつ底板５を土台２上に設けられ溶接基材２に載置して、両者を溶接することによって構成している。従って、本発明の壁パネルの取付構造に於いては、取付金物が壁パネル１２の壁面より露出することがない。
【００３６】
【発明の効果】
本発明に係る壁パネルの取付構造及びその取付金具は前述の構造と作用とを有するので、次のような多大な効果を有している。
【００３７】
（１）従来の構造に比較して、取付金物が壁パネルの表面に露出しないので、外観を損ねることがなく、内装仕上げに悪影響を及ぼすことがない。（２）従来の構造に比較して、壁パネルの脱落に対する安全機構がより明確であり、安全性が高められている。（３）モルタルを使用しないで施工出来るので、施工能率を向上させることが出来る。（４）座堀穴を設ける必要がなく、またその座堀穴の補修の必要がないので、施工能率を向上させることが出来る。
【００３８】
（５）座堀穴の補修がないので、この補修した部分が経年変化により色が変色して美観を損ねることがない。（６）壁パネル側に取り付けられた取付金物の底板に設けられた切欠部を壁パネルの面取り部を利用しながら溶接基材に溶接するために、壁パネルの土台への取り付けが容易であり確実である。
【００３９】
（７）軸体に突起を設けた場合には、この突起を壁パネルの穴の周りの壁面にくい込ませて軸体及びこれに連結された底板を壁パネルに固定することが出来る。（８）底板の穴と軸体とに回転防止機構を設けた場合には、壁パネルを土台に建込む際に、底板の溶接する箇所が壁パネルの面取り部と反対方向に回動することを防止出来る。（９）底板に切欠部を設けて、この切欠部の内周縁を溶接基板に溶着したので、溶接する距離を長く取って強固にさせることが出来、かつ溶接部が壁パネルの表面より突出することがない。（１０）更に壁パネルが溶接した方向に倒れようとする場合に、その端部より内側が溶接されているので、端部に加わる回転力を低減することが出来る。
【００４０】
（１１）本発明に係る取付構造及びその施工方法は、底板の側部に凹んだ切欠部を形成すると共に、壁パネルの下部の縁部に設けた面取り部を利用してこの切欠部の内周縁を溶接基材に溶接して溶接部を設けたので、次のような効果を得ることが出来る。即ち、比較的長い距離の溶接が可能であるので、溶接強度を高くすることが出来る。溶接作業が下向きに楽に行なえる。また溶接が確実に行われたかどうかの確認がし易い。溶接部が壁パネルの表面から突出することがないので、外観を損ねることがない。壁パネルの表面に内装材を張り付ける場合にも、溶接のバリが邪魔することがない。
【００４１】
（１２）更に、壁パネルに面外方向の力が作用し、それにより壁パネルが溶接した側に倒れようとする場合には、底板に壁パネルの端部を支点とする回転力が加わる。もしその端部に溶接部が存在すると、そこに大きな回転応力が加わり、溶接部が破断される恐れがあるが、溶接部は、上述のようにその端部より所定距離だけ内側の切欠部の内周縁に施されているので、溶接部に加わる力をそれだけ低減することが出来る。
【００４２】
（１３）本発明に係る壁パネルの取付金具は、底板上に軸体を起立突設して構成したので、構造が極めて簡単であり、かつ軸体を壁パネルの底部の小口面に設けられた穴に挿入することによって、底板を壁パネルの小口面に容易に取付固定することが出来る。底板に穴を穿設し、頭部を下端に突設した軸体を該穴に挿通して取付金具を構成した場合には、夫々の部品を簡単に大量生産することが出来、かつこれ等の部品を現場で簡単かつ確実に組立てて構成することが出来る。底板には切欠部が設けられているので、この切欠部の内周縁を利用して溶接することが出来、前述のような多くの作用効果を得ることが出来る。
【図面の簡単な説明】
【図１】本発明に係る壁パネルの取付構造の要部を示す斜視説明図である。
【図２】取付金具の構成を示す斜視説明図である。
【図３】図１の壁パネルの取付構造の一部の断面説明図である。
【図４】図４（Ａ），（Ｂ），（Ｃ）は夫々取付金具の実施例を示す斜視説明図である。
【図５】従来の湿式構造による壁パネルの取付構造の断面説明図である。
【図６】従来の乾式構造による壁パネルの取付構造の断面説明図である。
【符号の説明】
１      アンカー鉄筋              ２      土台
３      溶接基材                  ４      ならしモルタル
５      底板                      ６      脚部
７      穴                        ８      切欠部
９      軸体                      10      頭部
11      突起                      12      壁パネル
12a     面取り部
13      穴                        14      溶接部
51      アンカー鉄筋              52      土台
53      流し鉄筋                  54      壁パネル
55      溝部                      56      目地鉄筋
57      山型鋼                    58      座堀穴
59      フックボルト
【図１】
0003734862.tif 000002
【図２】
0003734862.tif 000003
【図３】
0003734862.tif 000004
【図４】
0003734862.tif 000005
【図５】
0003734862.tif 000006
【図６】
0003734862.tif 000007